(57)【要約】【課題】忘れられることなく日々新たな気持で仏壇などにお参りするのに適した表示形態によって表示を行うことのできる電子式位牌を提案すること。【解決手段】電子式位牌１は、予め定めたお参り時間帯になると液晶表示器５が駆動されて故人の戒名などの位牌情報を表示した状態に切り替わる。家族がお参りすると人感センサー８による検知信号によって表示画面が切り替わり、音声を伴う動画などの表示になる。また、お参りカウンター１４によってお参りカウント値がインクリメントされる。お参り時に表示画面を切り替えて毎日異なる情報を表示し、お参り回数をカウントすることにより、毎日のお参りを忘れないように、また、飽きないように行わせることができる。【選択図】図４
2011056244.tif 000002
【特許請求の範囲】
【請求項１】
故人情報を含む予め設定した設定情報を記憶保持している故人情報メモリーと、
前記設定情報を表示するための表示器と、
計時手段と、
前記表示器への接近物を検出する人感センサーと、
前記計時手段に基づく時刻情報および前記人感センサーの検出信号に基づき、前記表示器を制御するコントローラーとを有しており、
前記コントローラーは、
前記計時手段に基づき、前記表示器を予め設定されたオン期間のみ駆動可能状態に切り替えるオンオフ切り替え手段と、
前記オン期間において前記人感センサーによって接近物が検出されると、前記表示器を駆動して少なくとも所定時間は前記設定情報のうちの一部の設定表示情報を表示させる表示制御手段とを備えていることを特徴とする故人情報表示装置。
【請求項２】
請求項１において、
前記表示制御手段は、
前記オンオフ切り替え手段によって前記表示器が駆動可能状態に切り替わると、前記表示器を非駆動状態から駆動状態に切り替えて、前記設定情報における第１設定情報を前記表示器に表示させ、
前記人感センサーによって接近物が検出されると、前記設定情報における第２設定情報を前記表示器に表示させ、
前記所定時間経過時点および前記人感センサーによって接近物が検出されなくなった時点のうちの遅い時点を経過すると、前記表示器の表示を前記第２設定情報から前記第１設定情報に戻すことを特徴とする故人情報表示装置。
【請求項３】
請求項２において、
前記表示器の表示部を覆っている開閉扉を有し、
前記コントローラーの前記表示制御手段は、
前記表示器が前記駆動可能状態に切り替わり、かつ、前記開閉扉が開くと、前記表示器を非駆動状態から駆動状態に切り替えて、前記第１設定情報を表示させ、
前記第１設定情報の表示状態において前記人感センサーによって接近物が検出されると、前記表示器の表示を前記第１設定情報から前記第２設定情報に切り替え、
前記開閉扉が開いており、かつ、前記所定時間経過時点および前記人感センサーによって接近物が検出されなくなった時点のうちの遅い時点を経過すると、前記表示器の表示を前記第２設定情報から前記第１設定情報に戻し、
前記開閉扉が閉じると、前記表示器を駆動状態から非駆動状態に戻すことを特徴とする故人情報表示装置。
【請求項４】
請求項２または３において、
前記コントローラーは、前記人感センサーにより接近物が検出される毎に、または、前記表示器が駆動されて前記設定表示情報が表示される毎に、お参りカウント値に「１」を加算するお参りカウント手段を備えていることを特徴とする故人情報表示装置。
【請求項５】
請求項４において、
前記設定表示情報には、それまでの前記お参りカウント値が含まれていることを特徴とする故人情報表示装置。
【請求項６】
請求項５において、
スピーカーを有し、
前記設定情報には音情報も含まれており、
前記コントローラーは、前記第２設定情報の表示時に前記スピーカーを駆動して前記音情報を出力させるスピーカー駆動制御手段を備えていることを特徴とする故人情報表示装置。
【請求項７】
請求項４、５または６において、
有線あるいは無線による通信手段を有しており、
前記コントローラーは、前記通信手段を介して、前記お参りカウント手段による前記お参りカウント値を含む情報を予め定めた通信先に送信すると共に、当該通信先から情報を受信する送受信制御手段と、受信情報に基づき前記設定情報の一部を更新する設定情報更新手段とを有していることを特徴とする故人情報表示装置。
【請求項８】
請求項７において、
安否確認要請の通信先が記憶保持されている登録者メモリーを有しており、
前記コントローラーは、前記お参りカウント値の更新が予め設定された設定期間を超える期間に亘って行われなかった場合に、前記通信手段を介して、前記登録者メモリーに記憶保持されている前記通信先に、安否確認を要請する要請信号を送信する安否確認要請手段を備えていることを特徴とする故人情報表示装置。
【請求項９】
請求項７において、
顔認証対象の登録者の顔画像および当該登録者の安否確認要請の通信先が記憶保持されている登録者メモリーと、
前記人感センサーによる検出領域内に入った接近物を撮影可能なカメラとを有し、
前記コントローラーは、
前記カメラによって撮影された撮影画像を前記登録者メモリーに記憶保持されている前記顔画像と照合して顔認証を行う顔認証手段と、
予め設定された設定期間を超える期間に亘って前記顔認証が行われなかった場合に、前記通信手段を介して、前記登録者メモリーに記憶保持されている前記通信先に、安否確認を要請する要請信号を送信する安否確認要請手段とを備えており、
前記カメラによる撮影は、前記オン期間において前記人感センサーによって接近物が検出された時点、または、前記開閉扉が開けられた時点において行われることを特徴とする故人情報表示装置。
【請求項１０】
請求項９において、
前記登録者メモリーには、前記登録者の正常時の体温が記憶保持されており、
前記コントローラーは、
前記顔認証手段によって前記登録者であると認証された場合に、前記カメラによって撮影された撮影画像に基づき前記接近物の表面温度を測定する温度測定手段を備え、
前記安否確認要請手段は、測定された前記表面温度が前記登録者メモリーに記憶保持されている前記体温に対して許容誤差を超える場合に、前記通信先に、前記要請信号を送信することを特徴とする故人情報表示装置。
【請求項１１】
請求項１ないし１０のうちのいずれかの項において、
自立式の装置架台を有しており、
前記故人情報には少なくとも戒名が含まれており、
位牌として用いることを特徴とする故人情報表示装置。 
【請求項１２】
請求項１ないし１１のうちのいずれかの項において、
入力手段を有しており、
前記コントローラーは、前記入力手段を介して入力される入力指令に基づき、前記設定情報の設定および変更の処理、前記設定情報のうち前記表示器に表示される表示情報の設定および変更の処理、および、前記オン期間の設定および変更の処理のうち、少なくとも一つの処理を行う設定・変更手段を備えていることを特徴とする故人情報表示装置。 
【請求項１３】
請求項１ないし１２のうちのいずれかの項において、
前記設定情報には、音楽、経のテキストおよび音声、一日一言のテキスト、過去帳、先祖の各命日、並びに、家族の記念日のうち、少なくとも一つが含まれており、
前記故人情報には、前記戒名に加えて、命日、遺影、経歴、生前の動画および静止画、並びに、音声のうち、少なくとも一つが含まれていることを特徴とする故人情報表示装置。
【発明の詳細な説明】
【技術分野】
【０００１】
本発明は、液晶表示器などの表示器に戒名、遺影などを表示して、位牌、遺影などとして用いることのできる故人情報表示装置に関する。
【背景技術】
【０００２】
液晶表示器に故人情報を表示するようにした表示装置としては各種のものが提案されている。たとえば、特許文献１においては、故人の写真、経歴、生前の様子などの情報を表示可能な表示装置を位牌に取り付けて用いることが提案されている。特許文献２には、故人の経歴、生前の様子などを記録可能な電子回路が組み込まれた位牌に表示装置を接続して故人情報を必要に応じて再生表示可能としたマルチメディア位牌が提案されている。特許文献３には、故人の命日などが到来すると、扉が開き画面上に故人の遺影などを表示する故事記念日時の報知装置が提案されている。また、位牌に限らず、仏壇全体を情報処理装置から構成し、その表示画面に仏壇画像を表示することが特許文献４に開示されている。
【０００３】
このように、従来における電子式の位牌、電子式の仏壇は、印刷あるいは刻印されている戒名などの情報、あるいは、各様式の仏壇を、表示画面に画像情報として表示しており、カレンダー機能を用いて命日などを表示できるようにしている。
【先行技術文献】
【特許文献】
【０００４】
【特許文献１】実用新案登録第３１２３８６０号公報
【特許文献２】特開平０９−１５４７０９号公報
【特許文献３】実用新案登録第３００８５５０号公報
【特許文献４】特許第２９２１４２１号公報
【発明の概要】
【発明が解決しようとする課題】
【０００５】
しかしながら、従来において提案されている電子式の位牌、仏壇は、必要に応じて故人の画像などを表示するか、あるいは、常に決まった固定情報が表示画面に表示されているのみである。仏壇、位牌への毎日のお勤めにおいて、都度、故人の画像を表示するための操作を行うことは煩雑である。また、戒名のみの固定情報が表示されているのみでは毎日のお勤め（お参り）に変化を付けることができず、お勤めが惰性に流され忘れられやすく、先祖への想いを新たにし、祈りの意味を考えるなどの信心を喚起するには不向きである。
【０００６】
本発明の課題は、このような点に鑑みて、忘れられることなく日々新たな気持で仏壇などにお参りするのに適した表示形態によって表示を行うことのできる故人情報表示装置を提案することにある。
【課題を解決するための手段】
【０００７】
上記の課題を解決するために、本発明の故人情報表示装置は、
故人情報を含む予め設定した設定情報を記憶保持している故人情報メモリーと、
前記設定情報を表示するための表示器と、
計時手段と、
前記表示器への接近物を検出する人感センサーと、
前記計時手段に基づく時刻情報および前記人感センサーの検出信号に基づき、前記表示器を制御するコントローラーとを有しており、
前記コントローラーは、
前記計時手段に基づき、前記表示器を予め設定されたオン期間のみ駆動可能状態に切り替えるオンオフ切り替え手段と、
前記オン期間において、前記人感センサーによって接近物が検出されると、前記表示器を駆動して少なくとも所定時間は前記設定情報の一部の設定表示情報を表示させる表示制御手段とを備えていることを特徴としている。
【０００８】
本発明の故人情報表示装置は、たとえば、朝の６時からの２時間のオン期間だけ液晶表示器などの表示器が駆動可能状態に切り替わる。このオン期間において、人がお勤めをするために表示器に向かうと人感センサーによって人が表示器に接近したことが検出されて、表示器に設定情報が表示される。たとえば、戒名、命日などの位牌情報、遺影などが表示される。また、設定時間帯であるオン期間（お参り時間帯あるいはお勤め時間帯）に人が通ると表示器が駆動されて位牌情報などが表示されるので、お参り時間帯あるいはお勤め時間帯であることを喚起させることができ、毎日のお勤めを疎かにすることを戒める作用効果も得られる。
【０００９】
ここで、オン期間（お参り時間帯等）において、例えば、表示器に静止画を表示し、人がお参りするときには画面を動画に切り替えることが望ましい。この場合の故人情報表示装置の前記表示制御手段は、
前記オンオフ切り替え手段によって前記表示器が駆動可能状態に切り替わると、前記表示器を非駆動状態から駆動状態に切り替えて、前記設定情報における第１設定情報を前記表示器に表示させ、
前記人感センサーによって接近物が検出されると、前記設定情報における第２設定情報を前記表示器に表示させ、
前記所定時間経過時点および前記人感センサーによって接近物が検出されなくなった時点のうちの遅い時点を経過すると、前記表示器の表示を前記第２設定情報から前記第１設定情報に戻すことを特徴としている。
【００１０】
また、前記表示器の表示部を覆っている開閉扉を有している場合には、開閉扉に連動させて表示器の表示形態を切り替えることが望ましい。この場合の前記コントローラーの前記表示制御手段は、
前記表示器が前記駆動可能状態に切り替わり、かつ、前記開閉扉が開くと、前記表示器を非駆動状態から駆動状態に切り替えて、前記第１設定情報を表示させ、
前記第１設定情報の表示状態において前記人感センサーによって接近物が検出されると、前記表示器の表示を前記第１設定情報から前記第２設定情報に切り替え、
前記開閉扉が開いており、かつ、前記所定時間経過時点および前記人感センサーによって接近物が検出されなくなった時点のうちの遅い時点を経過すると、前記表示器の表示を前記第２設定情報から前記第１設定情報に戻し、
前記開閉扉が閉じると、前記表示器を駆動状態から非駆動状態に戻すことを特徴としている。
【００１１】
本発明の故人情報表示装置の前記コントローラーは、前記人感センサーによる接近物が検出される毎に、または、前記表示器が駆動されて前記設定情報が表示される毎に、お参りカウント値に「１」を加算するお参りカウント手段を備えていることを特徴としている。お参りの回数をカウントし、たとえば、その結果として得られるお参りカウント値を表示器に表示することにより、毎日のお参りを促進させる作用効果が得られる。
【００１２】
また、本発明においては、スピーカーを組み込み、前記設定情報に音情報も含めておき、前記コントローラーは、前記設定情報の表示時に前記スピーカーを駆動して前記音情報を出力させるスピーカー駆動制御手段を備えていることが望ましい。このようにすれば、お参りの際に、スピーカーを介して、ＢＧＭなどの音楽、故人の生前の声、経、一日一言などを流すことができる。
【００１３】
さらに、本発明においては、有線あるいは無線による通信手段を有し、前記コントローラーは、前記通信手段を介して、前記お参りカウント手段による前記お参りカウント値を含む情報を予め定めた通信先に送信すると共に、当該通信先から情報を受信する送受信制御手段と、受信情報に基づき前記設定情報の一部を更新する設定情報更新手段とを備えていることが望ましい。このようにすれば、毎日のお勤めを奨励することができ、たとえば、毎日のお参りの際に、宗派の本山からのお言葉、教えなどを画像表示あるいは音声出力することにより、毎日のお勤めに変化を持たせることができる。
【００１４】
次に、故人情報表示装置を老人、介護を必要とする人などの安否を確認するための通信端末として利用することができる。このために、本発明の故人情報表示装置は、
安否確認要請の通信先が記憶保持されている登録者メモリーを有しており、
前記コントローラーは、前記お参りカウント値の更新が予め設定された設定期間を超える期間に亘って行われなかった場合に、前記通信手段を介して、前記登録者メモリーに記憶保持されている前記通信先に、安否確認を要請する要請信号を送信する安否確認要請手段を備えていることを特徴としている。
【００１５】
例えば、３日以上に亘ってお参りが行われない場合には、登録者が起き上がることができない等の異常が発生したものと看做すことができるので、予め定めた通信先に要請信号を送信して、安否を確認させることが望ましい。
【００１６】
お参りカウント値を利用する代わりに、カメラを用いて顔認証を行うようにすることもできる。この場合、本発明の故人情報表示装置は、
顔認証対象の登録者の顔画像および当該登録者の安否確認要請の通信先が記憶保持されている登録者メモリーと、
前記人感センサーによる検出領域内に入った接近物を撮影可能なカメラとを有し、
前記コントローラーは、
前記カメラによって撮影された撮影画像を前記登録者メモリーに記憶保持されている前記顔画像と照合して顔認証を行う顔認証手段と、
予め設定された設定期間を超える期間に亘って前記顔認証が行われなかった場合に、前記通信手段を介して、前記通信先に、安否確認を要請する要請信号を送信する安否確認要請手段とを備えており、
前記カメラによる撮影は、前記オン期間において前記人感センサーによって接近物が検出された時点、または、前記開閉扉が開けられた時点において行われることを特徴としている。
【００１７】
顔認証を行う場合には、複数の登録者の安否を個別に判断することが可能である。例えば、登録者が２人の場合に、一方の登録者の顔認証が所定日数以上に亘って行われなかった場合に、当該登録者の安否確認が必要であると判断することができる。
【００１８】
また、本発明の故人情報表示装置において、カメラを備えている場合には、撮影画像から体温を測定して登録者の健康状態を判断することも可能である。この場合の故人情報表示装置は、
前記登録者メモリーには、前記登録者の正常時の体温が記憶保持されており、
前記コントローラーは、
前記顔認証手段によって前記登録者であると認証された場合に、前記カメラによって撮影された撮影画像に基づき前記接近物の表面温度を測定する温度測定手段を備え、
前記安否確認要請手段は、測定された前記表面温度が前記登録者メモリーに記憶保持されている前記体温に対して許容誤差を超える場合に、前記通信先に、前記要請信号を送信することを特徴としている。
【００１９】
次に、本発明の故人情報表示装置は位牌として用いることができる。この場合には、自立式の装置架台に表示器などを組み込み、前記故人情報には少なくとも戒名を含めておけば、お勤めあるいはお参り時間帯であるオン期間に、戒名を含む位牌情報を表示できる。
【００２０】
次に、本発明において、設定情報の変更、オン期間の変更を行うことができるようにするためには、入力操作部を配置し、前記コントローラーは、前記入力手段を介して入力される入力指令に基づき、前記設定情報の設定および変更の処理、前記設定情報のうち前記表示器に表示される表示情報の設定および変更の処理、および、前記オン期間の設定および変更の処理のうち、少なくとも一つの処理を行う設定・変更手段を備えていることが望ましい。
【００２１】
また、表示器、スピーカーによる表示用あるいは出力用のコンテンツとしては各種のものが考えられる。たとえば、前記設定情報には、音楽、経のテキストおよび音声、一日一言のテキスト、過去帳、先祖の各命日、並びに、家族の記念日のうち、少なくとも一つが含まれる。また、前記故人情報には、前記戒名に加えて、命日、遺影、経歴、生前の動画および静止画、並びに、音声のうち、少なくとも一つが含まれる。
【発明の効果】
【００２２】
本発明の故人情報表示装置は、予め設定したオン期間において人が接近した場合にのみ表示器が駆動されて故人情報などの設定情報が表示される。したがって、必要な時間帯にのみ表示を行うことができると共に、人の接近に伴う表示器の表示開始動作によって今の時間帯がお参りあるいはお勤め時間帯（オン期間）であることを知らしめることができる。また、お参りカウント機能が備わっている場合には、カウント値を表示する等することによって、毎日のお勤めを忘れることなく行わせる効果が得られる。
【図面の簡単な説明】
【００２３】
【図１】本発明を適用した電子式位牌の外観斜視図である。
【図２】図１の電子式位牌の制御系を示す概略ブロック図である。
【図３】図１の電子式位牌の一日の動作を示す概略フローチャートである。
【図４】図１の電子式位牌のオン期間（お参りあるいはお勤め時間帯）における動作を示す概略フローチャートである。
【図５】表示切り替え動作の一例を示すフローチャートである。
【図６】表示切り替え動作の別の例を示すフローチャートである。
【図７】図１の電子式位牌の入力操作時の割り込み動作を示す概略フローチャートである。
【図８】本発明を適用した電子式仏壇の正面図である。
【図９】図８の電子式仏壇の制御系を示す概略ブロック図である。
【発明を実施するための形態】
【００２４】
以下に、図面を参照して、本発明を適用した故人情報表示装置の実施の形態を説明する。
【００２５】
［実施の形態１］
（外観形状）
図１は本発明の実施の形態１に係る電子式位牌を示す外観斜視図である。本例の電子式位牌１は自立式の位牌架台２を備えており、この位牌架台２は横長の扁平な支持板３と、この支持板３の上面に垂直に取り付けられている矩形枠４とを備えている。矩形枠４には矩形輪郭の液晶表示器５が装着されており、その表示面５ａが矩形枠４の前面から前方に露出している。液晶表示器５の背面側の部分にはコントロールボックス６が取り付けられており、このコントロールボックス６の背面側の部位が矩形枠４の背面から突出している。
【００２６】
矩形枠４の左右の垂直な縦枠部分４Ｌ、４Ｒには、図において破線で示すように、左右のスピーカー７Ｌ、７Ｒが内蔵されており、矩形枠４の水平な上枠部分４Ｕの中央には人感センサー８が内蔵されており、その感知部が上枠部分４Ｕの前面に露出している。人感センサー８の横方位置にはリモコン受光部９ａが配置されており、入力手段としてのリモートコントローラー９を操作することによって発生する光信号を受光可能となっている。入力手段としては、リモートコントローラー９の代わりに、支持板３の一方の端部の上面部分に、図において想像線で示すように、入力操作部９ｂを配置することも可能である。
【００２７】
（制御系）
図２は電子式位牌１の制御系を示す概略ブロック図である。電子式位牌１の制御系はコントロールボックス６に内蔵されており、マイクロコンピュータを備えたコントローラー１０を中心に構成されている。コントローラー１０には水晶発振子、分周回路などを備えた計時手段２１が接続されている。また、故人情報を含む予め設定した設定情報を記憶保持している故人情報メモリー２２が接続されている。故人情報メモリー２２として、例えば、着脱可能な可搬式のメモリーチップを用いることができる。さらに、有線あるいは無線による通信モジュール（通信手段）２３が接続されている。
【００２８】
コントローラー１０は、そのＲＯＭ内に予め格納されている制御プログラムを実行することにより次の手段として機能する。
（ａ）計時手段２１に基づき、液晶表示器５を予め設定されたオン期間（お参り時間帯あるいはお勤め時間帯）のみ駆動可能状態に切り替えるオンオフ切り替え手段１１
（ｂ）オン期間において人感センサー８によって接近物が検出されるとＬＣＤドライバー２４を介して液晶表示器５を駆動して設定情報を表示する表示制御手段１２
（ｃ）設定情報の表示時にドライバー２５Ｌ、２５Ｒを介して左右のスピーカー７Ｌ、７Ｒを駆動して音情報を出力させるスピーカー駆動制御手段１３
（ｄ）人感センサー８により接近物が検出される毎に、または、液晶表示器５が駆動されて設定情報が表示される毎に、お参りカウント値Ｎに「１」を加算するお参りカウンター１４（お参りカウント手段）
（ｅ）通信モジュール２３を介して、お参りカウント値Ｎを含む情報を予め定めた通信先、たとえば宗派の本山に設置されている管理コンピューター（図示せず）に送信すると共に、当該管理コンピューター（通信先）から情報を受信する通信制御手段１５
（ｆ）リモートコントローラー９からの入力指令あるいは通信先からの受信情報に基づき、設定情報の設定、変更、更新、ならびに、液晶表示器５に表示される表示情報を指定する設定・変更手段１６
【００２９】
（表示・出力用コンテンツ：故人情報メモリーの設定情報）
ここで、故人情報メモリー２２に記憶保持される設定情報には故人情報が含まれており、故人情報には、故人の戒名、命日、生前の氏名、遺影、経歴、生前の動画および静止画、並びに、音声が含まれている。戒名、命日、生前の氏名であってもよい。また、設定情報には、音楽、経のテキストおよび音声、一日一言のテキスト、過去帳、先祖の各命日、並びに、家族の記念日などの情報が含まれている。
【００３０】
（動作例）
図３は電子式位牌１における一日の間の動作例を示す概略フローチャートである。液晶表示器５は通常はオフ状態にあり、事前に設定されたオン期間には電力が供給されて駆動可能な状態に切り替わる。たとえば、朝の６時からの２時間がお参り時間帯あるいはお勤め時間帯（オン期間）であるとする。コントローラー１０のオンオフ切り替え手段１１は、朝６時になると、オフ状態の液晶表示器５に駆動電力の供給を開始して駆動可能な状態に切り替える（ステップＳＴ１、ＳＴ２）。本例では、予め設定されている静止画像（第１設定情報）を液晶表示器５の表示画面５ａに表示する。たとえば、故人の戒名、命日、生前の氏名などを表示して、通常の位牌と同様な位牌情報を継続表示する。この液晶表示器５による位牌情報の表示開始によって、毎日のお勤め時間帯あるいはお参り時間帯になったことを家族が知ることができる。この表示画面５ａに後述のお参りカウント値Ｎを表示することも可能である（第１設定情報にお参りカウント値を含めることが可能である。）。
【００３１】
２時間のお参り時間帯あるいはお勤め時間帯が終了すると、オンオフ切り替え手段１１は液晶表示器５に対する駆動電力の供給を止めてオフ状態に戻し、位牌情報の表示が消える（ステップＳＴ３、ＳＴ４）。このように、必要時間帯にのみ液晶表示器５が駆動可能状態になり、それ以外はオフ状態に保持されるので、省電力化を図ることができ、液晶表示器５の耐用年数も延ばすことができる。
【００３２】
図４はお参り時間帯（あるいはお勤め時間帯：オン期間）における動作例を示す概略フローチャートである。液晶表示器５には位牌情報が表示された状態にある（ステップＳＴ１１）。この状態では、人感センサー８によって人の接近が一定のサンプリング周期で監視されている（ステップＳＴ１２）。家族がお参りのために電子式位牌１に向かうと、人感センサー８によって人の接近が検知され、表示制御手段１２によって表示情報が切り替わる（ステップＳＴ１３）。たとえば、位牌情報の表示画像に重ねて、予め設定されている一日一言がテキスト表示され、スピーカー駆動制御手段１３によって、テキスト表示された一日一言の音読情報が出力される（第２設定情報の表示）。または、一日一言の代わりに、ＢＧＭあるいはお教の一節がスピーカー７Ｌ、７Ｒから出力される。
【００３３】
また、通信モジュール２３を介して毎日、宗派の本山の側から一日一言、説教などを受信して故人情報メモリー２２に記憶保持する更新動作を行っている場合には、その日に受信した受信情報を表示および出力することも可能である。
【００３４】
このように、家族がお参りすると、表示内容が音声出力を伴った表示画像に切り替わる。また、表示内容を毎日変更することができる。よって、日々新たな気持でお勤めを行うことができる。さらには、お参り時間帯において、近くを家族が通ると、人感センサー８の検知信号によって表示が切り替わるので、お勤めを忘れている場合には、表示切り替えによってお勤めを行うことが促される。よって、毎日の勤めを忘れてしまうことを防止するのに有効である。
【００３５】
お参りが終わり、家族が電子式位牌１から立ち去ると、人感センサー８がオフに切り替わる（ステップＳＴ１４）。この後は、一定期間経過後に液晶表示器５の表示内容を元の位牌情報の表示画面（第１設定情報の表示画面）に戻す（ステップＳＴ１５、ＳＴ１７）。また、表示画面を戻す前に、お参りカウンター１４のお参りカウント値Ｎが「１」だけインクリメントされる。（ステップＳＴ１６）。このお参りカウント値Ｎは故人情報メモリー２２に記憶保持され、毎日更新される。たとえば、お参り時間帯が終了した時点で更新される。通信モジュール２３を介して、一定期間、たとえば１か月毎に、宗派の本山の側に送信することもできる。このようなお参りカウント値Ｎをカウントすることによって、お参りを家族に奨励することができる。
【００３６】
お参り時間帯の２時間の間は、以上のような人感センサー８による表示切り替え動作、お参りカウント値Ｎのカウントアップ動作を行う。なお、人感センサー８による感知時間が短い場合、たとえば、お参りすることなく近くを通りすぎた場合に、お参りカウント値Ｎのカウントアップ動作を行わないようにするためには、感知時間が設定時間を超えた場合にのみお参りカウント値Ｎのカウントアップ動作を行うようにすればよい。
【００３７】
図５は、上記のステップＳＴ１３におけるコンテンツの表示動作を示すフローチャートである。人感センサー８がオンした後は、まず、歴表示が例えば１０秒間行われ（ＳＴ１３１）、これと同時に、お教あるいはＢＧＭが流れ始める。お教あるいはＢＧＭは人感センサー８がオフして表示が消えるまで継続する（ＳＴ１３２）。歴表示後は、位牌画像の表示が１０秒間行われ（ＳＴ１３３）、次に、遺影画像（１枚あるいは複数枚）が表示される（ＳＴ１３４）。複数枚表示する場合には、それぞれの遺影画像を２〜１０秒ずつ表示して順次に切り替える。この後は、一日一言が１０秒間表示され（ＳＴ１３５）、次に過去帳情報（命日等）が１０秒間表示される（ＳＴ１３６）。これらの表示が繰り返し行われる（ＳＴ１３７）。
【００３８】
図６は、上記のステップＳＴ１３におけるコンテンツの表示動作の別の例を示すフローチャートである。この場合には、人感センサー８がオンした後に、まず、お参りカウンター１４のカウント値（今までのお参り回数の積算値）Ｎが表示される（ＳＴ１４１）。この後においては、無線ＬＡＮ接続画面、たとえば、Ｗｉ−Ｆｉ接続待機画面に切り替わる（ＳＴ１４２）。たとえば、接続の可否をリモートコントローラー９により選択させる。接続しない旨の入力があると、表示が、故人情報表示画面（ＳＴ１３１以降のステップ）に移行する。
【００３９】
接続が選択されると、無線ＬＡＮのアクセスポイント、サーバーを経由して、たとえば宗派本部などに設置されている本部管理サーバーに接続される。この後は、宗派本部よりのライブ映像、音声が流れる（ＳＴ１４３）。リモートコントローラー９の操作によって無線ＬＡＮ接続が遮断される（ＳＴ１４４）。この後は、表示が故人情報表示画面（ＳＴ１３１以降のステップ）に移る。
【００４０】
一方、図７はリモートコントローラー９からの入力操作による割り込み動作の一例を示す概略フローチャートである。コントローラー１０は、リモートコントローラー９からの入力指令の有無を監視している。例えば、メニュー表示指令の入力を監視している（ステップＳＴ２１）。メニュー表示指令が入力されると、液晶表示器５の表示画面５ａにはメニュー一覧が表示される。たとえば、メニュー表示指令の場合には、２時間のお参り時間帯、それ以外の時間帯の有無に拘わりなく液晶表示器５が駆動されてメニュー一覧が表示される（ステップＳＴ２２）。
【００４１】
表示されるメニュー一覧には、位牌情報、家族の記念日、過去張、祖先の各命日などの項目が表示される。これらの一つが選択入力されると、対応する情報が故人情報メモリー２２から呼び出されて液晶表示器５の表示画面５ａに表示される（ステップＳＴ２３、ＳＴ２４）。これにより、お参り時間帯以外であっても、お参りしたい時にお参りをすることができる。また、家族の記念日の確認、祖先の情報（過去帳など）を確認することができる。一定時間表示した後は表示を消し、お参り時間帯の場合には、位牌情報の表示画面に戻ることになる（ステップＳＴ２５）。
【００４２】
ここで、お参り時間帯以外において位牌情報の表示要求がなされて位牌情報が表示された場合にはお参りカウンター１４によってお参りカウント値Ｎのインクリメントが行われる。
【００４３】
なお、メニュー一覧が表示された後に入力がない場合には予め定めた時間が経過した後に表示を消し、お参り時間帯の場合には、位牌情報の表示画面に戻ることになる（ステップＳＴ２６）。
【００４４】
このように、本例の電子式位牌１は、予め定めたお参り時間帯になると液晶表示器５が駆動されて故人の戒名などの位牌情報を表示した状態に切り替わる。家族がお参りすると人感センサー８による検知信号によって表示画面が切り替わり、音声を伴う動画などの表示になる。また、お参りカウンター１４によってお参りカウント値がインクリメントされる。お参り時に表示画面を切り替えて毎日異なる情報を表示し、お参り回数をカウントすることにより、毎日のお参りを忘れないように、また、飽きないように行わせることができる。
【００４５】
［実施の形態２］
図８は本発明の実施の形態２に係る電子式仏壇を示す正面図である。本例の電子式仏壇１００の基本構成、基本機能および基本動作は上記の電子式位牌１と同様である。大きく相違する点は、開閉扉が備わっている点と、登録者の安否確認機能が備わっている点である。
【００４６】
詳しく説明すると、電子式仏壇１００は自立式の架台１０２を備えており、この架台１０２の前面には左右に開閉可能な開閉扉１０３、１０４が取り付けられている。開閉扉１０３、１０４を開くと、架台１０２に取り付けた縦長の矩形輪郭の液晶表示器１０５の表示面１０５ａが露出するようになっている。架台１０２における液晶表示器５の背面側の部分にはコントロールボックス（図示せず）が取り付けられている。
【００４７】
本例の電子式仏壇１００も、架台１０２の内部にスピーカー（図示せず）が内蔵されている。また、架台１０２の水平な上枠部分１０２Ｕの中央には内蔵カメラの撮像レンズ（対物レンズ）１３１ａが露出している。さらに、この隣接位置には、人感センサーの感知部１０８ａおよびリモコン受光部１０９ａが配置されている。入力手段としてのリモートコントローラー１０９を操作することによって発生する光信号を受光可能となっている。入力手段としては、リモートコントローラー１０９の代わりに、架台１０２の表面に入力操作盤を配置してもよい。勿論、リモートコントローラー１０９および入力操作盤の双方が備わっていても良い。
【００４８】
（制御系）
図９は電子式仏壇１００の制御系を示す概略ブロック図である。電子式仏壇１００の制御系はコントロールボックスに内蔵されており、マイクロコンピュータを備えたコントローラー１１０を中心に構成されている。コントローラー１１０には水晶発振子、分周回路などを備えた計時手段１２１が接続されている。また、故人情報を含む予め設定した設定情報を記憶保持している故人情報メモリー１２２と、安否確認対象の登録者情報を記憶保持している登録者メモリー１３３とが接続されている。故人情報メモリー１２２として、例えば、着脱可能な可搬式のメモリーチップを用いることができる。登録者情報には、カメラによる顔認証対象の登録者の顔画像、登録者の正常時の体温、および、登録者の安否確認要請の通信先が含まれている。さらに、コントローラー１１０には、開閉扉１０３、１０４の開閉を検出するセンサー１３２、ＣＣＤカメラ１３１、人感センサー１０８、リモコン受光部１０９ａ、有線あるいは無線による通信モジュール（通信手段）１２３などが接続されている。
【００４９】
コントローラー１１０は、そのＲＯＭ内に予め格納されている制御プログラムを実行することにより次の手段として機能する。
（ａ）計時手段１２１に基づき、液晶表示器１０５を予め設定されたオン期間（お参り時間帯あるいはお勤め時間帯）のみ駆動可能状態に切り替えるオンオフ切り替え手段１１１
（ｂ）オン期間において、人感センサー１０８および開閉扉のセンサー１３２からの出力に基づき、ＬＣＤドライバー１２４を介して液晶表示器１０５を駆動制御する表示制御手段１１２
（ｃ）設定情報の表示時にドライバー１２５Ｌ、１２５Ｒを介して左右のスピーカー１０７Ｌ、１０７Ｒを駆動して音情報を出力させるスピーカー駆動制御手段１１３
（ｄ）人感センサー１０８により接近物が検出される毎に、または、液晶表示器１０５が駆動されて設定情報が表示される毎に、お参りカウント値Ｎに「１」を加算するお参りカウンター１１４（お参りカウント手段）
（ｅ）通信モジュール１２３を介して、お参りカウント値Ｎを含む情報を予め定めた通信先、たとえば宗派の本山に設置されている管理コンピューター１４０に送信すると共に、当該管理コンピューター１４０（通信先）から情報を受信する通信制御手段１１５
（ｆ）リモートコントローラー１０９からの入力指令あるいは通信先からの受信情報に基づき、設定情報の設定、変更、更新、ならびに、液晶表示器１０５に表示される表示情報を指定する設定・変更手段１１６
【００５０】
上記機能に加えて、コントローラー１１０は次の機能も備わっている。
（ｇ）カメラ１３１によって撮影された撮影画像を登録者メモリー１３３に記憶保持されている顔画像と照合して顔認証を行う顔認証手段１３４
（ｈ）顔認証手段１３４によって登録者であると認証された場合に、カメラによって撮影された撮影画像に基づき撮影対象の表面温度（体温）を測定する温度測定手段１３５（サーモグラフィ）
（ｉ）予め設定された期間（例えば３日間）を超える期間に亘って顔認証が行われなかった場合に、通信制御手段１１５、通信モジュール１２３を介して、登録者メモリー１３３に記憶保持されている通信先１４１に安否確認を要請する要請信号を送信する安否確認要請手段１３６
【００５１】
ここで、液表表示器１０５の表示制御手段１１２は、オンオフ切り替え手段１１１によって液晶表示器１０５が駆動可能状態に切り替わり、かつ、開閉扉１０３、１０４が開くと、液晶表示器１０５を非駆動状態から駆動状態に切り替えて、第１設定情報を表示させる。開閉扉が開いた後に、第１設定情報の表示状態において人感センサー１０８によって接近物が検出されると、液晶表示器の表示を第１設定情報から第２設定情報に切り替える。また、第２設定情報の表示状態において、開閉扉１０３、１０４が開いており、かつ、予め設定した設定時間（例えば５分間）が経過した時点および人感センサー１０８によって接近物が検出されなくなった時点のうちの遅い時点の後に、液晶表示器１０５の表示を第２設定情報から第１設定情報に戻す。また、第１設定情報の表示状態において、開閉扉１０３、１０４が閉じると、設定時間の経過あるいは人感センサー１０８の出力の有無に拘わらず、液晶表示器１０５を駆動状態から非駆動状態に戻すようになっている。
【００５２】
また、安否確認要請手段１３６は、温度測定手段１３５によって測定された体温が登録者メモリー１３３に記憶保持されている体温に対して許容差を超える値であるとき、例えば、正常体温に対して２℃以上高い場合にも、通信制御手段１１５、通信モジュール１２３を介して、登録者メモリー１３３に記憶保持されている通信先１４１に安否確認を要請する要請信号を送信するようになっている。
【００５３】
本例の電子式仏壇１００においては、開閉扉１０３、１０４が備わっており、これらを開くと、液晶表示器１０５が表示状態に切り替わり、開閉扉１０３、１０４を閉じると非表示状態（節電状態）に切り替わる。また、開閉扉１０３、１０４を開いた状態において、人感センサー１０８によってお参りする人が検出されると表示を第２設定情報に切り替えて動画などを表示する。お参りが終わって人が電子式仏壇１００から離れると、人感センサー１０８の出力に基づき第２設定情報の表示が第１設置情報の表示（静止画像表示）に戻る。このように必要時間帯のみ画面表示を行うことができる。
【００５４】
また、カメラ１３１による撮影画像を用いて顔認証および体温測定を行い、顔認証が所定期間以上、例えば３日以上に亘って行われなかった場合には、登録先に安否確認の要請を行うようにしている。また、測定した体温が高温の場合にも登録先に安否確認の要請を行うようにしている。このように、毎日の習慣となっている仏壇を拝むという行動を利用して安否確認を行っているので、別途、安否確認用のシステムを設置する必要がなく、しかも、精度良く安否確認の要否を判断することが可能であり、極めて便利である。なお、体温が正常時の温度よりも低い場合においても安否確認の要請を行うようにしてもよい。
【００５５】
（その他の実施の形態）
上記の電子式仏壇１００では安否確認の要請を、顔認証および体温に基づき行っている。安否確認が必要な対象者（登録者）が一人である場合などにおいては、お参りカウント値の更新の有無に基づき安否確認の要請を行うことが可能である。このようにすれば、カメラ、顔認証機能、体温測定機能が不要になり、システム構成を簡素化できる。
【００５６】
例えば、図２において破線で示すように、実施の形態１の電子式位牌１において、安否確認要請の通信先が記憶保持されている登録者メモリー３３を設け、コントローラー１０は安否確認要請手段３６を備えた構成を採用する。安否確認要請手段３６は、お参りカウント値Ｎの更新が予め設定された設定期間を超える期間、例えば３日間を超える期間以上に亘って行われなかった場合に、通信制御手段１５、通信モジュール２３を介して、登録者メモリー３３に記憶保持されている通信先に、安否確認を要請する要請信号を送信する。
【符号の説明】
【００５７】
１    電子式位牌
２    位牌架台
３    支持板
４    矩形枠
５    液晶表示器
５ａ  表示画面
６    コントロールボックス
７Ｌ、７Ｒ  スピーカー
８    人感センサー
９    リモートコントローラー
１０  コントローラー
１１  オンオフ切り替え手段
１２  表示制御手段
１３  スピーカー駆動制御手段
１４  お参りカウンター
１５  通信制御手段
１６  設定・変更手段
２１  計時手段
２２  故人情報メモリー
２３  通信モジュール
２４  ＬＣＤドライバー
２５Ｌ、２５Ｒ  ドライバー
３３  登録者メモリー
３６  安否確認要請手段
１００  電子式仏壇
１０２    架台
１０３、１０４  開閉扉
１０５    液晶表示器
１０５ａ  表示画面
１０７Ｌ、１０７Ｒ  スピーカー
１０８    人感センサー
１０９    リモートコントローラー
１１０  コントローラー
１１１  オンオフ切り替え手段
１１２  表示制御手段
１１３  スピーカー駆動制御手段
１１４  お参りカウンター
１１５  通信制御手段
１１６  設定・変更手段
１２１  計時手段
１２２  故人情報メモリー
１２３  通信モジュール
１２４  ＬＣＤドライバー
１２５Ｌ、１２５Ｒ  ドライバー
１３１  カメラ
１３２  センサー
１３３  登録者メモリー
１３４  顔認証手段
１３５  温度測定手段
１３６  安否確認要請手段
１４０  管理コンピューター（通信先）
１４１  通信先
【図１】
2011056244.tif 000003
【図２】
2011056244.tif 000004
【図３】
2011056244.tif 000005
【図４】
2011056244.tif 000006
【図５】
2011056244.tif 000007
【図６】
2011056244.tif 000008
【図７】
2011056244.tif 000009
【図８】
2011056244.tif 000010
【図９】
2011056244.tif 000011
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
故人情報を含む予め設定した設定情報を記憶保持している故人情報メモリーと、
前記設定情報を表示するための表示器と、
計時手段と、
前記表示器への接近物を検出する人感センサーと、
前記計時手段に基づく時刻情報および前記人感センサーの検出信号に基づき、前記表示器を制御するコントローラーとを有しており、
前記コントローラーは、
前記計時手段に基づき、前記表示器を予め設定されたオン期間のみ駆動可能状態に切り替えるオンオフ切り替え手段と、
前記オン期間において前記人感センサーによって接近物が検出されると、前記表示器を駆動して少なくとも所定時間は前記設定情報のうちの一部の設定表示情報を表示させる表示制御手段とを備えていることを特徴とする故人情報表示装置。
【請求項２】
請求項１において、
前記表示制御手段は、
前記オンオフ切り替え手段によって前記表示器が駆動可能状態に切り替わると、前記表示器を非駆動状態から駆動状態に切り替えて、前記設定情報における第１設定情報を前記表示器に表示させ、
前記人感センサーによって接近物が検出されると、前記設定情報における第２設定情報を前記表示器に表示させ、
前記所定時間経過時点および前記人感センサーによって接近物が検出されなくなった時点のうちの遅い時点を経過すると、前記表示器の表示を前記第２設定情報から前記第１設定情報に戻すことを特徴とする故人情報表示装置。
【請求項３】
請求項１において、
前記表示器の表示部を覆っている開閉扉と、
前記開閉扉の開閉を検出するセンサーとを有し、
前記コントローラーの前記表示制御手段は、
前記オンオフ切り替え手段によって前記表示器が駆動可能状態に切り替わり、かつ、前記センサーによって前記開閉扉が開状態になったことが検出されると、前記表示器を非駆動状態から駆動状態に切り替えて、前記第１設定情報を表示させ、
前記第１設定情報の表示状態において前記人感センサーによって接近物が検出されると、前記表示器の表示を前記第１設定情報から前記第２設定情報に切り替え、
前記センサーによって前記開閉扉が開状態にあることが検出されており、かつ、前記所定時間経過時点および前記人感センサーによって接近物が検出されなくなった時点のうちの遅い時点を経過すると、前記表示器の表示を前記第２設定情報から前記第１設定情報に戻し、
前記センサーによって前記開閉扉が閉状態になったことが検出されると、前記表示器を駆動状態から非駆動状態に戻すことを特徴とする故人情報表示装置。
【請求項４】
請求項２または３において、
前記コントローラーは、前記人感センサーにより接近物が検出される毎に、または、前記表示器が駆動されて前記設定表示情報が表示される毎に、お参りカウント値に「１」を加算するお参りカウント手段を備えていることを特徴とする故人情報表示装置。
【請求項５】
請求項４において、
前記設定表示情報には、それまでの前記お参りカウント値が含まれていることを特徴とする故人情報表示装置。
【請求項６】
請求項５において、
スピーカーを有し、
前記設定情報には音情報も含まれており、
前記コントローラーは、前記第２設定情報の表示時に前記スピーカーを駆動して前記音情報を出力させるスピーカー駆動制御手段を備えていることを特徴とする故人情報表示装置。
【請求項７】
請求項４、５または６において、
有線あるいは無線による通信手段を有しており、
前記コントローラーは、前記通信手段を介して、前記お参りカウント手段による前記お参りカウント値を含む情報を予め定めた通信先に送信すると共に、当該通信先から情報を受信する送受信制御手段と、受信情報に基づき前記設定情報の一部を更新する設定情報更新手段とを有していることを特徴とする故人情報表示装置。
【請求項８】
請求項７において、
安否確認要請の通信先が記憶保持されている登録者メモリーを有しており、
前記コントローラーは、前記お参りカウント値の更新が予め設定された設定期間を超える期間に亘って行われなかった場合に、前記通信手段を介して、前記登録者メモリーに記憶保持されている前記通信先に、安否確認を要請する要請信号を送信する安否確認要請手段を備えていることを特徴とする故人情報表示装置。
【請求項９】
請求項７において、
顔認証対象の登録者の顔画像および当該登録者の安否確認要請の通信先が記憶保持されている登録者メモリーと、
前記人感センサーによる検出領域内に入った接近物を撮影可能なカメラとを有し、
前記コントローラーは、
前記カメラによって撮影された撮影画像を前記登録者メモリーに記憶保持されている前記顔画像と照合して顔認証を行う顔認証手段と、
予め設定された設定期間を超える期間に亘って前記顔認証手段によって前記登録者であるとの認証が行われなかった場合に、前記通信手段を介して、前記登録者メモリーに記憶保持されている前記通信先に、安否確認を要請する要請信号を送信する安否確認要請手段とを備えており、
前記カメラによる撮影は、前記オン期間において前記人感センサーによって接近物が検出された時点、または、前記開閉扉が開けられた時点において行われることを特徴とする故人情報表示装置。
【請求項１０】
請求項９において、
前記登録者メモリーには、前記登録者の正常時の体温が記憶保持されており、
前記コントローラーは、
前記顔認証手段によって前記登録者であると認証された場合に、前記カメラによって撮影された撮影画像に基づき前記接近物の表面温度を測定する温度測定手段を備え、
前記安否確認要請手段は、測定された前記表面温度が前記登録者メモリーに記憶保持されている前記体温に対して許容誤差を超える場合に、前記通信先に、前記要請信号を送信することを特徴とする故人情報表示装置。
【請求項１１】
請求項１ないし１０のうちのいずれかの項において、
自立式の装置架台を有しており、
前記故人情報には少なくとも戒名が含まれており、
位牌として用いることを特徴とする故人情報表示装置。 
【請求項１２】
請求項１ないし１１のうちのいずれかの項において、
入力手段を有しており、
前記コントローラーは、前記入力手段を介して入力される入力指令に基づき、前記設定情報の設定および変更の処理、前記設定情報のうち前記表示器に表示される表示情報の設定および変更の処理、および、前記オン期間の設定および変更の処理のうち、少なくとも一つの処理を行う設定・変更手段を備えていることを特徴とする故人情報表示装置。 
【請求項１３】
請求項１ないし１２のうちのいずれかの項において、
前記設定情報には、音楽、経のテキストおよび音声、一日一言のテキスト、過去帳、先祖の各命日、並びに、家族の記念日のうち、少なくとも一つが含まれており、
前記故人情報には、戒名に加えて、命日、遺影、経歴、生前の動画および静止画、並びに、音声のうち、少なくとも一つが含まれていることを特徴とする故人情報表示装置。